(57)【要約】【課題】トング１００の１対の挟み面１０３、１０３を効率良く殺菌できる紫外線殺菌装置１ａの構造を実現する。【解決手段】殺菌容器２ａの上端部にロッド３を設け、このロッド３にトング１００の連結部１０２の内側部分を係合させる事により、殺菌室７内での、このトング１００の両挟み面１０３、１０３の位置範囲を規制する。又、前記殺菌室７のうち、これら両挟み面１０３、１０３に紫外線を直接照射できる位置に、紫外線発光ランプ４を設置する。【選択図】図６
2015165834.tif 000002
【特許請求の範囲】
【請求項１】
１対の腕部の基端部同士を連結部により連結する事で全体を略Ｖ字形に構成すると共に、これら両腕部の先端部の内側面である１対の挟み面同士の間隔を弾性的に拡縮可能としたトングを殺菌する為に使用可能な紫外線殺菌装置であって、
殺菌容器と、係合手段と、紫外線発生手段とを備え、
このうちの殺菌容器は、上端が開口した容器本体と、この容器本体に組み付けられ、その下面とこの容器本体の内面とにより画成される空間を殺菌室とする蓋体とを備えたものであり、
前記係合手段は、前記トングの連結部の内側部分と係合する事により、前記殺菌室内での、このトングの両挟み面の位置範囲を規制するものであり、
前記紫外線発生手段は、殺菌に供される紫外線を発生するもので、前記殺菌室内のうち、前記係合手段によりこの殺菌室内での位置範囲を規制された前記トングの両挟み面に、紫外線を直接照射可能となる位置範囲に設置されている、
紫外線殺菌装置。
【請求項２】
前記係合手段が、前記殺菌容器のうちの、前記殺菌室の外部に設けられており、
前記蓋体に少なくとも１対の通孔が設けられており、これら両通孔を通じて、前記トングの両腕部の先端部を前記殺菌室内に挿入可能としている、請求項１に記載した紫外線殺菌装置。
【請求項３】
前記トングの両腕部を前記両通孔に挿通すると共に、このトングの連結部の内側部分を前記係合手段に係合させた状態で、前記両腕部のうち、前記両通孔の内側に位置する部分の自由状態での外側面同士の間隔よりも、これら両通孔の内周縁のうち、これら両外側面と対向する部分同士の間隔を小さくしている、請求項２に記載した紫外線殺菌装置。
【請求項４】
前記蓋体のうち、前記両通孔同士の間部分が、前記係合手段として機能する、請求項２〜３のうちの何れか1項に記載した紫外線殺菌装置。
【請求項５】
前記係合手段が、前記殺菌室内への前記トングの挿入方向と直角方向に配設されたロッドである、請求項１〜３のうちの何れか１項に記載した紫外線殺菌装置。
【請求項６】
前記紫外線発生手段の少なくとも一部分が、前記殺菌室内のうち、前記係合手段によりこの殺菌室内での位置範囲を規制された前記トングの両挟み面同士の対向方向に関して、これら両挟み面同士の間に位置している、請求項１〜５のうちの何れか１項に記載した紫外線殺菌装置。
【請求項７】
前記殺菌室の内面のうち、少なくとも前記容器本体の内面が金属反射面になっている、請求項１〜６のうちの何れか１項に記載した紫外線殺菌装置。
【発明の詳細な説明】
【技術分野】
【０００１】
本発明は、例えばパン、菓子、又はおでん等の食品を挟む為に使用されるトングを殺菌するのに好適な紫外線殺菌装置に関する。
【背景技術】
【０００２】
現在、例えばパン、菓子、又はおでん等の食品を挟む為に使用されるトングは、コンビニ、スーパー、パン屋等で食品容器外に置かれている。しかしながら、衛生面を考えると、単に食品容器外に置いておくよりも、紫外線殺菌装置内に置いて殺菌しておく方が好ましい。
【０００３】
この様な用途で使用可能な紫外線殺菌装置として従来から、例えば、前面に開閉扉を有する直方体形の殺菌容器と、この殺菌容器内の上端部及び下端部に取り付けられた紫外線発生部と、この殺菌容器内の上下方向中間部に水平に設置された金属製の網棚とを備え、この網棚の上に被殺菌物を置いて殺菌する方式のものが知られている（例えば特許文献１参照）。
【０００４】
しかしながら、この様な紫外線殺菌装置を使用してトングを殺菌する場合、前記網棚の上に対するこのトングの置き方によっては、このトングの１対の挟み面（１対の腕部の先端部の内側面）に紫外線が十分に当たらない可能性があり、これら両挟み面を効率良く殺菌できない可能性がある。
【先行技術文献】
【特許文献】
【０００５】
【特許文献１】特開２０１２−０８１２１５号公報
【発明の概要】
【発明が解決しようとする課題】
【０００６】
本発明は、上述の様な事情に鑑み、トングの１対の挟み面を効率良く殺菌できる紫外線殺菌装置の構造を実現すべく発明したものである。
【課題を解決するための手段】
【０００７】
本発明の紫外線殺菌装置は、１対の腕部の基端部同士を連結部により連結する事で全体を略Ｖ字形に構成すると共に、これら両腕部の先端部の内側面である１対の挟み面同士の間隔を弾性的に拡縮可能としたトングを殺菌する為に使用可能である。尚、このトングのうち、前記両腕部の内側面とは、これら両腕部の互いに対向する側面であり、これら両腕部の外側面とは、これら両腕部の互いに反対側となる側面である。
この様な本発明の紫外線殺菌装置は、殺菌容器と、係合手段と、紫外線発生手段とを備える。
このうちの殺菌容器は、上端が開口した容器本体と、この容器本体に組み付けられ、その下面とこの容器本体の内面とにより画成（区画）される空間を殺菌室とする蓋体とを備える。
又、前記係合手段は、前記トングの連結部の内側部分と係合する事により、前記殺菌室内での、このトングの両挟み面の位置範囲を規制する。
又、前記紫外線発生手段は、殺菌に供される紫外線を発生するもので、前記殺菌室内のうち、前記係合手段によりこの殺菌室内での位置範囲を規制された前記トングの両挟み面に、紫外線を直接照射可能となる位置範囲に設置されている。
尚、前記紫外線発生手段としては、例えば、殺菌に供される紫外線を発生するランプや発光ダイオード等の単体、又は、これらの複数の集合体を採用できる。
【０００８】
本発明の紫外線殺菌装置を実施する場合に、好ましくは、請求項２に記載した発明の様に、前記係合手段を、前記殺菌容器のうちの、前記殺菌室の外部に設けると共に、前記蓋体に少なくとも１対の通孔を設け、これら両通孔を通じて、前記トングの両腕部の先端部を前記殺菌室内に挿入可能とする。
より好ましくは、請求項３に記載した発明の様に、前記トングの両腕部を前記両通孔に挿通すると共に、このトングの連結部の内側部分を前記係合手段に係合させた状態で、前記両腕部のうち、前記両通孔の内側に位置する部分の自由状態での外側面同士の間隔よりも、これら両通孔の内周縁のうち、これら両外側面と対向する部分同士の間隔を小さくする。
又、請求項４に記載した発明の様に、前記蓋体のうち、前記両通孔同士の間部分を、前記係合手段として機能させる事もできる。
【０００９】
本発明の紫外線殺菌装置を実施する場合には、例えば、請求項５に記載した発明の様に、前記係合手段を、前記殺菌室内への前記トングの挿入方向と直角方向に配設されたロッドとする事ができる。
【００１０】
本発明の紫外線殺菌装置を実施する場合には、例えば、請求項６に記載した発明の様に、前記紫外線発生手段の少なくとも一部分を、前記殺菌室内のうち、前記係合手段によりこの殺菌室内での位置範囲を規制された前記トングの両挟み面同士の対向方向に関して、これら両挟み面同士の間に位置させる事ができる。
【００１１】
本発明の紫外線殺菌装置を実施する場合に、好ましくは、請求項７に記載した発明の様に、前記殺菌室の内面のうち、少なくとも前記容器本体の内面を金属反射面とする。
この場合に、より好ましくは、前記蓋体の下面も金属反射面とする。
【発明の効果】
【００１２】
本発明の紫外線殺菌装置によれば、係合手段にトングの連結部の内側部分を係合させる事により、殺菌室内での、このトングの両挟み面の位置範囲を規制する事ができ、更に、この状態で、紫外線発生手段により発生した紫外線を、前記両挟み面に直接照射する事ができる。この為、これら両挟み面を効率良く殺菌できる。
【００１３】
又、請求項２に記載した発明の場合には、容器本体に蓋体を取り付けたままの状態で（この容器本体からこの蓋体を取り外す事なく）、この蓋体に設けられた１対の通孔を通じて、トングの両腕部の先端部を殺菌室内に挿入したり、この殺菌室から抜き出したりする事ができる。この為、これら挿入及び抜き出しの作業を容易に行える。
更に、殺菌容器のうちの、殺菌室の外部に設けた係合手段と前記トングの連結部との係合、及び、前記両通孔と、前記トングの両腕部との係合に基づいて、前記殺菌室内での、このトングの両挟み面の位置範囲を、より確実に規制する事ができる。
【００１４】
又、請求項３に記載した発明の場合には、トングの両腕部を蓋体に設けられた１対の通孔に挿通すると共に、このトングの連結部の内側部分を係合手段に係合させた状態で、これら両通孔の内周縁により、前記両腕部の外側面同士の間隔を自由状態での間隔よりも弾性的に縮小する事ができる。従って、その分、このトングの両腕部を挿入する殺菌室の幅寸法を小さくする事ができる。この結果、殺菌容器の小型化を図れる。
【００１５】
又、請求項４に記載した発明の場合には、蓋体のうち１対の通孔同士の間部分を係合手段として機能させている、即ち、この係合手段を前記蓋体の一部としている為、この係合手段を、この蓋体とは別個の部材とする場合に比べて、部品点数を削減できる。従って、この部品点数の削減に伴う、コストの低減等を図れる。
【００１６】
又、請求項５に記載した発明の場合には、係合手段を、蓋体とは別個の部材であるロッドとしている為、殺菌の対象となるトングのサイズに応じて、このロッドの高さ位置と、前記蓋体の高さ位置（殺菌室の容積）とを独立して調整できる分、設計の自由度を高くできる。
【００１７】
又、請求項６に記載した発明の場合には、トングの両挟み面の全面に対して、紫外線発生手段から発生した紫外線を十分に照射できると共に、前記両挟み面同士の対向方向に関する、殺菌容器の小型化を図り易くできる。
【００１８】
又、請求項７に記載した発明の場合には、殺菌室の内面のうち少なくとも容器本体の内面を金属反射面としている為、この金属反射面により、紫外線発生手段から発生した紫外線を、前記殺菌室内で効率良く乱反射させる事ができる。従って、トングのうち、この殺菌室内に存在する部分全体の殺菌効果を高める事ができる。
【図面の簡単な説明】
【００１９】
【図１】本発明の実施の形態の第１例の紫外線殺菌装置に関する、（Ａ）は（Ｂ）のａ1−ａ1断面図、（Ｂ）は（Ａ）のａ2−ａ2断面図。
【図２】理論計算に基づく殺菌容器内の紫外線照度分布を示す図であり、（Ａ）（Ｂ）はそれぞれ、図１の（Ａ）（Ｂ）に対応する断面で見た図。
【図３】本発明の実施の形態の第１例に関する、変形例の第１例の要部を示す、（Ａ）は（Ｂ）のｂ1−ｂ1断面図、（Ｂ）は（Ａ）のｂ2−ｂ2断面図。
【図４】本発明の実施の形態の第１例に関する、変形例の第２例の要部を示す、（Ａ）は（Ｂ）のｃ1−ｃ1断面図、（Ｂ）は（Ａ）のｃ2−ｃ2断面図。
【図５】本発明の実施の形態の第１例に関する、変形例の第３例の要部を示す、（Ａ）は（Ｂ）のｄ1−ｄ1断面図、（Ｂ）は（Ａ）のｄ2−ｄ2断面図。
【図６】本発明の実施の形態の第２例の紫外線殺菌装置に関する、（Ａ）は（Ｂ）のｅ1−ｅ1断面図、（Ｂ）は（Ａ）のｅ2−ｅ2断面図、（Ｃ）は蓋体のみを取り出して（Ａ）の上方から見た図。
【図７】本発明の実施の形態の第３例の紫外線殺菌装置に関する、（Ａ）は（Ｂ）のｆ1−ｆ1断面図、（Ｂ）は（Ａ）のｆ2−ｆ2断面図、（Ｃ）は蓋体のみを取り出して（Ａ）の上方から見た図。
【図８】本発明の実施の形態の第４例の紫外線殺菌装置に関する、（Ａ）は（Ｂ）のｇ1−ｇ1断面図、（Ｂ）は（Ａ）のｇ2−ｇ2断面図。
【図９】本発明の実施の形態の第５例の紫外線殺菌装置に関する、（Ａ）は（Ｂ）のｈ1−ｈ1断面図、（Ｂ）は（Ａ）のｈ2−ｈ2断面図。
【発明を実施するための形態】
【００２０】
［実施の形態の第１例］
請求項１、５〜７に対応する、本発明の実施の形態の第１例に就いて、図１、２により説明する。本例の紫外線殺菌装置１は、パン、菓子、又はおでん等の食品を挟む為に使用される、図１に示す様なトング１００を殺菌する為に使用可能なものである。尚、このトング１００は、１対の腕部１０１、１０１の基端部同士を連結部１０２により連結する事で、全体を略Ｖ字形に構成すると共に、これら両腕部１０１、１０１の先端部の内側面である１対の挟み面１０３、１０３同士の間隔（これら両腕部１０１、１０１の開き角度）を、弾性的に拡縮可能としたものである。
【００２１】
上述の様な本例の紫外線殺菌装置１は、殺菌容器２と、係合手段であるロッド３と、紫外線発生手段である紫外線発生ランプ４とを備える。
【００２２】
このうちの殺菌容器２は、容器本体５と、蓋体６とを組み合わせて成る。この容器本体５は、上下方向に長く、上端が開口した、有底の四角筒状である。又、前記蓋体６は、前記容器本体５の上端開口部への着脱（乗せおろし）に基づいて、この上端開口部の開閉を自在とするものである。又、図１に示す様に、前記蓋体６により前記容器本体５の上端開口部を閉じた状態で、これら蓋体６の下面と容器本体５の内面とにより画成される空間を、殺菌室７としている。
【００２３】
又、本例の場合には、前記容器本体５及び前記蓋体６を、それぞれステンレス鋼やアルミニウム合金等の金属製としている。これにより、前記殺菌室７の内面全体を、金属反射面としている。又、前記容器本体５の外面の上端寄り部分にフック８を固定し、このフック８を利用して、本例の紫外線殺菌装置１の壁掛け設置を可能としている。又、前記容器本体５を、この容器本体５の上端部乃至中間部を構成する筒状部９と、この容器本体５の下端部を構成する有底筒状部１０とを、結合分離可能に組み合わせて成る二分割構造としている。これにより、前記筒状部９と前記有底筒状部１０とを分離する事によって、前記容器本体５の内側の掃除を容易に行える様にしている。
【００２４】
又、前記ロッド３は、前記殺菌室７内で前記トング１００を吊り下げる為に使用するものである。本例の場合には、このロッド３を、前記容器本体５の内側の上端寄り部分の縦幅方向｛図１の（Ａ）の左右方向｝中央部に於いて、この容器本体５の長さ方向（トングの挿入方向である、図１の上下方向）と直角な方向｛図１の（Ａ）の表裏方向、（Ｂ）の左右方向｝に配設している。又、この状態で、前記ロッド３の両端部を、前記容器本体５の筒状部９の内面に設けた図示しない係止部に係止している。そして、図１に示す様に、前記ロッド３に前記トング１００を吊り下げる（このロッド３に、このトング１００の連結部１０２の内側部分を係合させる）事により、前記殺菌室７内での、このトング１００の両挟み面１０３、１０３の位置範囲を規制している。尚、本例の場合、前記殺菌容器２及び前記ロッド３のサイズは、図１に示す様に、前記殺菌室７内で、少なくとも２つのトング１００、１００を設置可能なサイズとしている。
【００２５】
又、前記紫外線発生ランプ４は、殺菌に供される紫外線を発生するものである。本例の場合には、この紫外線発生ランプ４を、前記殺菌室７内のうち、前記ロッド３に吊り下げられた前記トング１００の両挟み面１０３、１０３に紫外線を直接照射可能となる位置に設置している。この為に具体的には、前記紫外線発生ランプ４を、当該トング１００の両挟み面１０３、１０３の対向方向｛図１の（Ａ）の左右方向｝に関して、これら両挟み面１０３、１０３同士の間に設置している。より具体的には、前記紫外線発生ランプ４を、前記殺菌室７内の下端部の中央部に於いて、上下方向に配設している。又、本例の場合には、前記紫外線発生ランプ４と共に紫外線発生装置を構成する、紫外線発生装置本体１１を、前記容器本体５の下面の中央部に固定している。そして、この紫外線発生装置本体１１と前記紫外線発生ランプ４とを、前記容器本体５の有底筒状部１０の底部に形成した図示しない通孔を挿通した配線等により接続している。この紫外線発生装置本体１１には、前記紫外線発生ランプ４の点灯と消灯とを切り換える為の、図示しないＯＮ／ＯＦＦスイッチが設けられている。
【００２６】
又、図２は、理論計算に基づく、前記殺菌室７内の紫外線照度分布を示している。本例の場合には、この殺菌室７のうち、１分以内に大腸菌が９９．９％殺菌される照射強度の範囲に、前記ロッド３に吊り下げられた前記トング１００の両挟み面１０３、１０３が配置される様に、前記紫外線発生ランプ４の照射能力及び前記ロッド３の高さ位置等を調整している。尚、本例の場合には、この様なロッド３の高さ位置の調整を行う為の高さ位置調整手段を設けている。この位置調整手段は、例えば、前記容器本体５の筒状部９の内面に、このロッド３の両端部を係止する為の図示しない係止部を、高さ方向に離隔して複数設ける事により構成する。
【００２７】
又、本例の場合には、前記殺菌容器２の外部に紫外線が漏れるのを防止する為に、前記ＯＮ／ＯＦＦスイッチがＯＮ（点灯）になっている場合でも、前記容器本体５の上端開口部が少しでも開いている場合には、前記紫外線発生ランプ４が点灯しない様にしている。この為に、本例の場合には、前記紫外線殺菌装置１に、前記容器本体５の上端開口部の開閉状態（この上端開口部への前記蓋体６の着脱状態）を検知する為の、図示しない接触式又は非接触式のセンサを設けている。そして、このセンサにより、前記容器本体５の上端開口部が少しでも開いている事を検知した場合には、前記紫外線発生ランプ４が点灯しない様にしている。尚、本例の構造を実施する場合には、前記殺菌容器２の外部に、運転状態（前記紫外線発生ランプ４が点灯しているか否か）の確認を容易にする為の、発光ダイオード等による運転状態確認手段を設ける事もできる。
【００２８】
上述の様な構成を有する本例の紫外線殺菌装置１によれば、前記ロッド３に前記トング１００の連結部１０２の内側部分を係合させる事により、前記殺菌室７内での、このトング１００の両挟み面１０３、１０３の位置範囲を規制する事ができ、更に、この状態で、前記紫外線発生ランプ４により発生した紫外線を、前記両挟み面１０３、１０３に直接照射する事ができる。この為、これら両挟み面１０３、１０３を効率良く殺菌できる。又、本例の場合には、前記殺菌室７内に、前記トング１００の全体を配置している為、このトング１００の全体を殺菌できる。又、前記殺菌室７の内面全体を金属反射面としている為、この金属反射面により、前記紫外線発生ランプ４から発生した紫外線を、前記殺菌室７内で効率良く乱反射させる事ができる。従って、前記トング１００の全体の殺菌効果を高める事ができる。
【００２９】
尚、本例の紫外線殺菌装置１を実施する場合には、図３又は図４に示す様に、殺菌室７の下端部に於ける紫外線発生ランプ４の配設方向を横方向とする（これと共に、紫外線発生装置本体１１を、容器本体５の下端部の周壁の外側面に固定する）事もできる。更には、図５に示す様に、紫外線発生ランプ４とトング１００との間に、紫外線を透過可能なガラス製又はプラスチック製の紫外線透過板１２を設置する事により、前記紫外線発生ランプ４を保護する事もできる。
【００３０】
［実施の形態の第２例］
請求項１〜３、５〜７に対応する、本発明の実施の形態の第２例に就いて、図６により説明する。本例の紫外線殺菌装置１ａの場合には、殺菌容器２ａを構成する蓋体６ａを、容器本体５の内側の上端寄り部分で、且つ、ロッド３よりも下側部分に組み付けている。本例の場合も、この蓋体６ａは、ステンレス鋼やアルミニウム合金等の金属製であり、この蓋体６ａの下面と前記容器本体５の内面とにより画成される空間を、殺菌室７としている。
尚、別の言い方をすると、本例の場合には、係合手段である前記ロッド３を、前記殺菌容器２ａのうち、前記殺菌室７の外部に設けている。
【００３１】
又、前記蓋体６ａには、それぞれがスリット状である、互いに平行な１対の通孔１３、１３を、２組設けている。そして、これら各組の１対の通孔１３、１３を通じて、前記ロッド３に吊り下げられるトング１００の両腕部１０１、１０１の先端部を、前記殺菌室７内に挿入可能としている。
【００３２】
又、本例の場合には、図示の様に、前記トング１００の両腕部１０１、１０１を、前記両通孔１３、１３に挿通すると共に、このトング１００の連結部１０２の内側部分を前記ロッド３に係合させた状態で、前記両腕部１０１、１０１のうち、前記両通孔１３、１３の内側に位置する部分の自由状態（鎖線で示す状態）での外側面同士の間隔Ｗよりも、これら両通孔１３、１３の内周縁のうち、前記両腕部１０１、１０１の外側面と対向する部分の間隔ｗを小さくしている（Ｗ＞ｗとしている）。これにより、図示の状態で、前記両通孔１３、１３の内周縁により、前記両腕部１０１、１０１の外側面同士の間隔を自由状態での間隔よりも弾性的に縮小できる様にしている。尚、本例の場合には、対象となるトング１００のサイズに合わせて、上述の様な寸法規制（Ｗ＞ｗ）を行い易くする等の為に、前記蓋体６ａの高さ位置の調整を行う為の高さ位置調整手段を設けている。この位置調整手段は、前記容器本体５の筒状部９の内面に、前記蓋体６ａの外周縁を係止する為の図示しない係止部を、高さ方向に離隔して複数設ける事により構成している。尚、本例の場合も、上述した実施の形態の第１例の場合と同様の、前記ロッド３に関する高さ位置調整手段を備えている。
【００３３】
又、本例の場合には、省エネ稼働を実現する為、紫外線発生装置本体１１に設けられたＯＮ／ＯＦＦスイッチがＯＮ（点灯）になっている場合でも、何れの組の通孔１３、１３にも前記トング１００の腕部１０１、１０１が挿通されていない場合には、前記紫外線発生ランプ４が点灯しない様にしている。この為に、本例の場合には、前記紫外線殺菌装置１ａに、前記各組の通孔１３、１３に対する前記トング１００の腕部１０１、１０１の挿通状態を検知する為の、図示しない接触式又は非接触式のセンサを設けている。そして、このセンサにより、何れの組の通孔１３、１３にも前記トング１００の腕部１０１、１０１が挿通されていない事を検知した場合には、前記紫外線発生ランプ４が点灯しない様にしている。
【００３４】
上述の様な構成を有する本例の紫外線殺菌装置１ａの場合には、前記容器本体５に前記蓋体６ａを取り付けたままの状態で（この容器本体５からこの蓋体６ａを取り外す事なく）、前記各組の１対の通孔１３、１３を通じて、前記トング１００の両腕部１０１、１０１の先端部を前記殺菌室７内に挿入したり、この殺菌室７から抜き出したりする事ができる。この為、これら挿入及び抜き出しの作業を容易に行える。又、本例の場合には、図示の様に前記トング１００の両腕部１０１、１０１の先端部を前記殺菌室７内に挿入した状態で、前記両通孔１３、１３の内周縁により、前記両腕部１０１、１０１の外側面同士の間隔を自由状態での間隔よりも弾性的に縮小する事ができる。従って、その分、このトング１００の両腕部１０１、１０１を挿入する前記殺菌室７の縦幅寸法｛図６の（Ａ）の左右方向寸法｝を小さくする事ができる。この結果、前記殺菌容器２ａの小型化を図れる。更に、本例の場合には、前記各組の両通孔１３、１３と、前記トング１００の両腕部１０１、１０１との係合に基づいて、前記殺菌室７内での、このトング１００の両挟み面１０３、１０３の位置範囲を、より確実に（一義的に）規制する事ができる。
その他の構成及び作用は、上述した実施の形態の第１例の場合と同様である。
【００３５】
［実施の形態の第３例］
請求項１〜４、６、７対応する、本発明の実施の形態の第３例に就いて、図７により説明する。本例の紫外線殺菌装置１ｂの場合には、ロッド３（図６参照）の設置を省略し、殺菌容器２ｂを構成する蓋体６ｂのうち、各組の両通孔１３、１３同士の間部分１４を、係合手段（トング１００の連結部１０２の内側部分を係合させる部材）として機能させている。
【００３６】
以上の様な構成を有する、本例の紫外線殺菌装置１ｂの場合には、前記ロッド３を省略した分、部品点数を削減できる。従って、この部品点数の削減に伴う、コストの低減等を図れる。
その他の構成及び作用は、上述した実施の形態の第１例及び第２例の場合と同様である。
【００３７】
［実施の形態の第４例］
請求項１〜４、６、７に対応する、本発明の実施の形態の第４例に就いて、図８により説明する。本例の紫外線殺菌装置１ｃの場合には、殺菌容器２ｃを構成する蓋体として、上述した実施の形態の第２例の蓋体６ａ（下側蓋体）と、同じく第３例の蓋体６ｂ（上側蓋体）とを使用し、これら両蓋体６ａ、６ｂを上下に離隔配置している。
即ち、上側に配置した前記蓋体６ｂを構成する間部分１４を係合手段とすると共に、この蓋体６ｂと、下側に配置した前記蓋体６ａとに設けられた、各通孔１３、１３により、トング１００の両腕部１０１、１０１の外側面同士の間隔を調整している。
【００３８】
以上の様な構成を有する、本例の紫外線殺菌装置１ｃの場合には、前記両蓋体６ａ、６ｂを上下に離隔配置している為、これら両蓋体６ａ、６ｂに設けられた各通孔１３、１３を通じて、殺菌室７から外部に漏れる紫外線の量を、より十分に少なくする事ができる。
その他の構成及び作用は、上述した実施の形態の第１〜３例の場合と同様である。
【００３９】
［実施の形態の第５例］
請求項１〜３、５〜７に対応する、本発明の実施の形態の第５例に就いて、図９により説明する。前述の図６に示した実施の形態の第２例の紫外線殺菌装置１ｂの場合が、同時に殺菌できるトング１００の個数を２個していたのに対し、本例の紫外線殺菌装置１ｄの場合には、同時に殺菌できるトング１００の個数を８個（４倍）としている。この為に、本例の紫外線殺菌装置１ｄの場合には、前記実施の形態の第２例の紫外線殺菌装置１ｂに対して、殺菌容器２ｄの横幅｛図９の（Ｂ）の左右方向幅｝を約４倍にすると共に、蓋体６ｃに設ける１対の通孔１３、１３の組数、並びに、紫外線発生ランプ４及び紫外線発生装置本体１１の組数を、それぞれ４倍にしている。
その他の構成及び作用は、前述した実施の形態の第２例の場合と同様である。
【産業上の利用可能性】
【００４０】
本発明の紫外線殺菌装置を実施する場合、殺菌容器の形状は、直方体形状に限らず、例えば円筒形状や角柱形状等の他の形状を採用する事もできる。
又、殺菌容器の材質は、前述した実施の形態の各例のものには限定されず、例えば、紫外線を透過させない合成樹脂とする事もできる。この場合でも、この殺菌容器の内面にアルミ等の金属箔を貼り付ける事で、この殺菌容器の内面を金属反射面とする事ができる。
又、殺菌容器のサイズも、この殺菌容器の形状ごとに（殺菌の対象となるトングのサイズや、同時に殺菌できるトングの個数を考慮して）、自由なサイズを選択する事ができる。例えばこの殺菌容器の形状を直方体形状とする場合には、この殺菌容器のサイズを、例えば縦幅：５ｃｍ〜２５ｃｍ、横幅：５ｃｍ〜１５０ｃｍ、高さ：２０ｃｍ〜４０ｃｍの範囲から選択する事ができる。又、前記殺菌容器の形状を円筒形状や角柱形状とする場合には、この殺菌容器のサイズを、例えば半径：５０ｃｍ以下の範囲から選択する事ができる。
【００４１】
又、本発明を実施する場合には、上述した実施の形態の第２〜５例の構造で、殺菌容器２ａ〜２ｄを構成する容器本体５の上端開口部に、この上端開口部の開閉を自在とする、別の蓋体を設ける事もできる。
又、本発明を実施する場合には、殺菌室内に設ける紫外線発光ランプ等の紫外線発光源の個数は、特に限定されない。又、この紫外線発光源の設置位置も、特許請求の範囲に記載した要件を満たす限り、自由に決定する事ができる。例えばこの紫外線発光源を、殺菌室内の側面に沿って複数個並べて配置する事もできる。
【符号の説明】
【００４２】
１、１ａ〜１ｄ  紫外線殺菌装置
２、２ａ〜２ｄ  殺菌容器
３  ロッド
４  紫外線発生ランプ
５  容器本体
６、６ａ〜６ｃ  蓋体
７  殺菌室
８  フック
９  筒状部
１０  有底筒状部
１１  紫外線発生装置本体
１２  紫外線透過板
１３  通孔
１４  間部分
１００  トング
１０１  腕部
１０２  連結部
１０３  挟み面
【図１】
2015165834.tif 000003
【図３】
2015165834.tif 000004
【図４】
2015165834.tif 000005
【図５】
2015165834.tif 000006
【図６】
2015165834.tif 000007
【図７】
2015165834.tif 000008
【図８】
2015165834.tif 000009
【図９】
2015165834.tif 000010
【図２】
2015165834.tif 000011